(57)【要約】      （修正有）【課題】加入者端末の移動に応じて、ＩＰセントレックスシステム内の内線接続と公衆網を介する外線接続とを相互に切り替え可能なＩＰセントレックスシステムを提供する。【解決手段】ＩＰセントレックスシステムに登録された全ての加入者端末について、アクセスポイントと通信可能であるか否かを調べる在圏調査手段と、在圏調査手段による調査結果と接続管理テーブルに保持された接続管理情報とに基づいて、通話中にＩＰセントレックスシステムの適用圏の境界を越えて移動した加入者端末を検出する越境端末検出手段と、越境端末検出手段によってＩＰセントレックスシステムの適用圏内への移動が検出された加入者端末にかかわる外線通話をＩＰセントレックスシステム内部の内線通話に切り替える内線切替手段と、内線切替手段による切替結果を接続管理テーブルに反映するテーブル管理手段とを備える。【選択図】図１
2007221554.tif 000002
【特許請求の範囲】
【請求項１】
私設通信網と公衆網との双方に接続可能な移動端末を加入者端末として利用するＩＰセントレックスシステムにおいて、
前記ＩＰセントレックスシステムに登録された全ての加入者端末について、前記ＩＰセントレックスシステムに属するアクセスポイントと通信可能であるか否かを調べる在圏調査手段と、
前記ＩＰセントレックスシステムにかかわる全ての呼について、発信電話番号および着信電話番号を含む接続管理情報を保持する接続管理テーブルと、
前記在圏調査手段による調査結果と前記接続管理テーブルに保持された接続管理情報とに基づいて、通話中に前記ＩＰセントレックスシステムの適用圏と圏外との境界を越えて移動した加入者端末を検出する越境端末検出手段と、
前記越境端末検出手段によって前記ＩＰセントレックスシステムの適用圏内への移動が検出された加入者端末にかかわる外線通話を前記ＩＰセントレックスシステム内部の内線通話に切り替える内線切替手段と、
前記内線切替手段による切替結果を前記接続管理テーブルに反映するテーブル管理手段と
を備えたことを特徴とするＩＰセントレックスシステム。
【請求項２】
請求項１に記載のＩＰセントレックスシステムにおいて、
前記内線切替手段は、
前記越境端末検出手段による加入者端末の検出に応じて、前記検出された加入者端末およびこの加入者端末と通話中の加入者端末の少なくとも一方に外線接続から内線接続への切り替えを行う旨を通知する切替通知手段と、
前記切替通知手段による通知に対する応答として、前記検出された加入者端末およびこの加入者端末と通話中の加入者端末の少なくとも一方から切り替えを肯定する旨の応答を受け取ったときに、前記２つの加入者端末の間に前記ＩＰセントレックスシステム内の通話路を設定する通話路設定手段と、
前記通話路の設定完了に応じて、前記検出された加入者端末にかかわる外線接続を解放する外線解放手段とを備えた
ことを特徴とするＩＰセントレックスシステム。
【請求項３】
私設通信網と公衆網との双方に接続可能な移動端末を加入者端末として利用するＩＰセントレックスシステムにおいて、
前記ＩＰセントレックスシステムに登録された全ての加入者端末について、前記ＩＰセントレックスシステムに属するアクセスポイントと通信可能であるか否かを調べる在圏調査手段と、
前記ＩＰセントレックスシステムにかかわる全ての呼について、発信電話番号および着信電話番号を含む接続管理情報を保持する接続管理テーブルと、
前記在圏調査手段による調査結果と前記接続管理テーブルに保持された接続管理情報とに基づいて、通話中に前記ＩＰセントレックスシステムの適用圏と圏外との境界を越えて移動した加入者端末を検出する越境端末検出手段と、
前記越境端末検出手段によって前記ＩＰセントレックスシステムの適用圏外への移動が検出された加入者端末にかかわる内線通話を前記公衆網を介する外線通話に切り替える外線切替手段と、
前記外線切替手段による切替結果を前記接続管理テーブルに反映するテーブル管理手段と
を備えたことを特徴とするＩＰセントレックスシステム。
【請求項４】
請求項３に記載のＩＰセントレックスシステムにおいて、
前記ＩＰセントレックスシステムに登録された全ての加入者端末それぞれについて、着信先の加入者端末がＩＰセントレックスシステムの適用圏外へ移動したときに外線接続に移行するための切り替え機能を利用するか否かを示す登録情報を保持する登録情報テーブルを備え、
前記外線切替手段は、
前記越境端末検出手段によってＩＰセントレックスシステムの適用圏外へ移動したとされた加入者端末と通話中の加入者端末について前記登録情報テーブルに保持された登録情報に基づいて、該当する通話を外線接続への切り替えを実施するか否かを決定する切替決定手段と、
前記切替決定手段によって切り替えを実施するとされた通話にかかわる２つの加入者端末の間に前記公衆網を介する外線接続を設定する外線接続手段と、
前記外線接続手段による外線接続完了に応じて、前記ＩＰセントレックスシステム内の内線接続を解放する内線解放手段とを備えた
ことを特徴とするＩＰセントレックスシステム。
【請求項５】
請求項４に記載のＩＰセントレックスシステムにおいて、
前記登録情報テーブルは、各加入者端末に対応して、ＩＰセントレックスシステムが管理する顧客グループごとに、それぞれの顧客グループに属する加入者端末が着信先である場合に関する登録情報を保持する構成であり、
前記切替決定手段は、前記越境検出手段によって検出された加入者端末が属する顧客グループに対応して保持された登録情報に基づいて、該当する通話を外線接続への切り替えを実施するか否かを決定する構成である
ことを特徴とするＩＰセントレックスシステム。
【発明の詳細な説明】
【技術分野】
【０００１】
本発明は、企業内の電話システムをＶｏＩＰ(Voice over IP)技術を利用したＩＰ電話網として実現したＩＰセントレックスシステムに関し、特に、移動端末を加入者端末として利用するＩＰセントレックスシステムに関する。
【背景技術】
【０００２】
携帯電話などの移動端末を加入者端末として利用するＩＰセントレックスシステムでは、図１０に示すように、無線ＬＡＮ(Ｗ−ＬＡＮ)を構成する多数のアクセスポイント（ＡＰ）４１１が企業の各拠点に設置され、これらのアクセスポイント４１１経由でユーザ管理サーバ４１２により、各加入者の所在が管理されている。そして、このユーザ管理サーバ４１２で収集された情報に基づいて、セントレッスクサーバ４１３により、ＩＰセントレックスシステム適用圏内の加入者同士の通話およびＩＰセントレックス適用圏内の加入者と外部の加入者との通話が実現されている。
【０００３】
例えば、それぞれアクセスポイント４１１との通信可能エリア内にある加入者端末ＵＥ１、ＵＥ２間の通話は、ユーザ管理サーバ４１２によってこれらの加入者に関する利用資格などが確認され、セントレックスサーバ４１３内のＳＩＰ(session initiation protocol)サーバ４１４による呼処理を経ることにより、これらの加入者端末を無線ＬＡＮを介して接続する伝送経路が形成される。
【０００４】
一方、例えば、図１０に示した加入者端末ＵＥ１がＩＰセントレックス適用圏外の公衆網に接続された電話（ＴＥＬ）と通話しようとする場合には、ユーザ管理サーバ４１２からの着信先がＩＰセントレックス適用圏の加入者ではない旨の通知に応じて、ＳＩＰサーバ４１４により、外線接続処理が行われる。このとき、ＳＩＰサーバ４１４は、ゲートウェイ(ＧＷ)サーバ４１５を介して公衆網(移動通信網を含む)に対して発呼処理を行うことにより、無線ＬＡＮと公衆網とを中継接続し、発呼元の加入者端末ＵＥ１と公衆網に接続された一般電話ＴＥＬとの通話を実現する。
【０００５】
また、このようなＩＰセントレックスシステム対応の加入者端末に、一般の移動通信システムの移動端末としての機能を搭載し、ＩＰセントレックス適用圏外では、移動通信網を利用可能とする技術も実現されている(特許文献１参照)。
【特許文献１】特開平４−２６９０５８号公報
【発明の開示】
【発明が解決しようとする課題】
【０００６】
上述したように、ＩＰセントレックスシステムの加入者端末がＩＰセントレックスシステム接続機能と一般の移動通信システム接続機能の双方を備えたデュアル端末である場合に、このような加入者端末ＵＥ３がＩＰセントレックス適用圏外にあるときには、この加入者端末ＵＥ３を着信先とする通話は、ゲートウェイサーバ４１５によって中継される外線通話として実現される。このようにして、呼設定時に形成された外線通話のための伝送経路は、その後の加入者端末の移動にかかわらず、通話の終了までそのまま維持される。
【０００７】
例えば、この加入者端末ＵＥ３が図１０に点線で示したようにＩＰセントレックスシステムのアクセスポイントＡＰ４１１が設置された拠点、すなわち、ＩＰセントレックス適用圏内に移動した後も、ＩＰセントレックスシステムによる通話が可能であるにもかかわらず、依然として外線接続による通話路がそのまま維持され、この通話には公衆網および移動通信網にかかわる課金が行われてしまう。
【０００８】
したがって、デュアル端末を加入者端末として利用するＩＰセントレックスシステムにおいて、デュアル端末の特徴とＩＰセントレックスシステムの特徴を充分に活用するために、ＩＰセントレックス適用圏の境界を越えて移動する利用者端末に関する伝送経路を適切に管理するための技術が必要とされている。
本発明は、加入者端末の移動に応じて、ＩＰセントレックスシステム内の内線接続と公衆網を介する外線接続とを相互に切り替え可能なＩＰセントレックスシステムを提供することを目的とする。
【課題を解決するための手段】
【０００９】
本発明にかかわる第１のＩＰセントレックスシステムは、在圏調査手段と、接続管理テーブルと、越境端末検出手段と、内線切替手段と、テーブル管理手段とから構成される。
本発明にかかわる第１のＩＰセントレックスシステムの原理は、以下の通りである。
私設通信網と公衆網との双方に接続可能な移動端末を加入者端末として利用するＩＰセントレックスシステムにおいて、在圏調査手段は、ＩＰセントレックスシステムに登録された全ての加入者端末について、ＩＰセントレックスシステムに属するアクセスポイントと通信可能であるか否かを調べる。接続管理テーブルは、ＩＰセントレックスシステムにかかわる全ての呼について、発信電話番号および着信電話番号を含む接続管理情報を保持する。越境端末検出手段は、在圏調査手段による調査結果と接続管理テーブルに保持された接続管理情報とに基づいて、通話中にＩＰセントレックスシステムの適用圏と圏外との境界を越えて移動した加入者端末を検出する。内線切替手段は、越境端末検出手段によってＩＰセントレックスシステムの適用圏内への移動が検出された加入者端末にかかわる外線通話をＩＰセントレックスシステム内部の内線通話に切り替える。テーブル管理手段は、内線切替手段による切替結果を接続管理テーブルに反映する。
【００１０】
このように構成された第１のＩＰセントレックスシステムの動作は、下記の通りである。
例えば、一定時間ごとに行われる在圏調査手段による調査結果と接続管理テーブルに保持された接続管理情報を照合することにより、ＩＰセントレックスシステム内の加入者端末と外線接続されていることが示されている加入者端末がＩＰセントレックスシステムの適用圏内に入ったことが分かり、この加入者端末が越境端末検出手段によって検出される。内線切替手段は、このようにして検出された加入者端末とその通話先のＩＰセントレックスシステム内の加入者端末との間に設定されている外線接続を解放するとともに、これらの加入者端末をＩＰセントレックスシステム内で接続する通話路を設定して、これらの加入者端末を内線接続する。
【００１１】
このようにして、通話中にＩＰセントレックス圏内に移動した加入者端末に関する外線接続を、通話状態を維持しつつ内線接続に切り替えることができる。また、このようにして行われた外線接続から内線接続への切り替えに伴う接続管理情報の変化は、テーブル管理手段により接続管理テーブルに反映され、以降の呼処理に供される。
本発明にかかわる第２のＩＰセントレックスシステムは、上述した第１のＩＰセントレックスシステムにおいて、内線切替手段に、切替通知手段と通話路設定手段と外線解放手段とを備えて構成される。
【００１２】
本発明にかかわる第２のＩＰセントレックスシステムの原理は、以下の通りである。
上述した第１のＩＰセントレックスシステムに備えられた内線切替手段において、切替通知手段は、越境端末検出手段による加入者端末の検出に応じて、検出された加入者端末およびこの加入者端末と通話中の加入者端末の少なくとも一方に外線接続から内線接続への切り替えを行う旨を通知する。通話路設定手段は、切替通知手段による通知に対する応答として、検出された加入者端末およびこの加入者端末と通話中の加入者端末の少なくとも一方から切り替えを肯定する旨の応答を受け取ったときに、２つの加入者端末の間にＩＰセントレックスシステム内の通話路を設定する。外線解放手段は、通話路の設定完了に応じて、検出された加入者端末にかかわる外線接続を解放する。
【００１３】
このように構成された第２のＩＰセントレックスシステムの動作は、下記の通りである。
越境端末検出手段により、ＩＰセントレックスシステムの適用圏内に入った通話中の加入者端末が検出されると、まず、切替通知手段により、例えば、検出された加入者端末に内線接続への切り替えを行う旨が通知され、この加入者端末からの切り替えを肯定する旨の応答に応じて、通話路設定手段による通話路設定処理が行われる。これにより、外線通話中にＩＰセントレックスシステムの適用圏内に入った加入者端末とその通話先の加入者端末との間は、ＩＰセントレックスシステム内に形成された通話路によって内線接続され、この通話路設定の完了に応じて、外線解放手段により、上述した２つの加入者端末間に設定されていた外線接続が切断される。
【００１４】
これにより、通話中の２つの加入者端末を利用している利用者の少なくとも一方の意向を切り替えの実施の有無に反映するとともに、通話状態を確実に維持した状態で外線接続から内線接続への切り替えを実現することができる。
本発明にかかわる第３のＩＰセントレックスシステムは、在圏調査手段と、接続管理テーブルと、越境端末検出手段と、外線切替手段と、テーブル管理手段とから構成される。
【００１５】
本発明にかかわる第３のＩＰセントレックスシステムの原理は、以下の通りである。
私設通信網と公衆網との双方に接続可能な移動端末を加入者端末として利用するＩＰセントレックスシステムにおいて、在圏調査手段は、ＩＰセントレックスシステムに登録された全ての加入者端末について、ＩＰセントレックスシステムに属するアクセスポイントと通信可能であるか否かを調べる。接続管理テーブルは、ＩＰセントレックスシステムにかかわる全ての呼について、発信電話番号および着信電話番号を含む接続管理情報を保持する。越境端末検出手段は、在圏調査手段による調査結果と接続管理テーブルに保持された接続管理情報とに基づいて、通話中にＩＰセントレックスシステムの適用圏と圏外との境界を越えて移動した加入者端末を検出する。外線切替手段は、越境端末検出手段によってＩＰセントレックスシステムの適用圏外への移動が検出された加入者端末にかかわる内線通話を公衆網を介する外線通話に切り替える。テーブル管理手段は、外線切替手段による切替結果を接続管理テーブルに反映する。
【００１６】
このように構成された第３のＩＰセントレックスシステムの動作は、下記の通りである。
例えば、一定時間ごとに行われる在圏調査手段による調査結果と接続管理テーブルに保持された接続管理情報を照合することにより、ＩＰセントレックスシステム内で設定された通話路を介して内線接続されている加入者端末の一方がＩＰセントレックスシステムの適用圏外に出たことが分かり、この加入者端末が越境端末検出手段によって検出される。外線切替手段は、このようにして検出された加入者端末の圏外への移動に伴って解放される内線接続に代えて、検出された加入者端末とその通話先のＩＰセントレックスシステム内の加入者端末とを公衆網を介して接続する通話路を設定し、これらの加入者端末を外線接続する。このようにして行われた内線接続から外線接続への切り替えに伴う接続管理情報の変化は、テーブル管理手段により接続管理テーブルに反映され、以降の呼処理に供される。
【００１７】
本発明にかかわる第４のＩＰセントレックスシステムは、上述した第３のＩＰセントレックスシステムにおいて、登録情報テーブルを備え、外線切替手段に、切替決定手段と、外線接続手段と、内線解放手段とを備えて構成される。
本発明にかかわる第４のＩＰセントレックスシステムの原理は、以下の通りである。
上述した第３のＩＰセントレックスシステムにおいて、登録情報テーブルは、ＩＰセントレックスシステムに登録された全ての加入者端末それぞれについて、着信先の加入者端末がＩＰセントレックスシステムの適用圏外へ移動したときに外線接続に移行するための切り替え機能を利用するか否かを示す登録情報を保持する。また、外線切替手段において、切替決定手段は、越境端末検出手段によってＩＰセントレックスシステムの適用圏外へ移動したとされた加入者端末と通話中の加入者端末について登録情報テーブルに保持された登録情報に基づいて、該当する通話を外線接続への切り替えを実施するか否かを決定する。外線接続手段は、切替決定手段によって切り替えを実施するとされた通話にかかわる２つの加入者端末の間に公衆網を介する外線接続を設定する。
【００１８】
このように構成された第４のＩＰセントレックスシステムの動作は、下記の通りである。
発呼側の加入者端末に対応して、予め登録情報テーブルに外線切り替え機能を利用する旨が登録されている場合は、この加入者端末と通話中の加入者端末がＩＰセントレックスシステムの適用圏外に移動したときに、切替決定手段による外線切替を実施する旨の決定に応じて、外線接続手段により外線接続処理が行われ、通話状態を維持したままで、内線接続から自動的に外線接続に切り替わる。一方、外線切替機能を利用しない旨が登録情報テーブルに登録された加入者端末が発呼側であった場合には、着信先の加入者端末がＩＰセントレックスシステムの適用圏外に移動して、内線接続が維持できなくなった時点で通話が切断される。
【００１９】
本発明にかかわる第５のＩＰセントレックスシステムの原理は、以下の通りである。
上述した第４のＩＰセントレックスシステムにおいて、登録情報テーブルは、各加入者端末に対応して、ＩＰセントレックスシステムが管理する顧客グループごとに、それぞれの顧客グループに属する加入者端末が着信先である場合に関する登録情報を保持する。切替決定手段は、越境検出手段によって検出された加入者端末が属する顧客グループに対応して保持された登録情報に基づいて、該当する通話を外線接続への切り替えを実施するか否かを決定する。
【００２０】
このように構成された第５のＩＰセントレックスシステムの動作は、下記の通りである。
登録情報テーブルに、顧客グループごとの登録情報を保持しておくことにより、例えば、同一の顧客グループに属する加入者端末同士では、圏外への移動に応じて自動的に外線接続への切り替えを行い、一方、発信側の加入者端末と着信先の加入者端末とが異なる顧客グループに属する場合には、着信側の加入者端末の圏外への移動に伴って内線接続が維持できなくなった時点で通話を切断するというように、顧客グループごとに異なる対処を実施することができる。
【発明の効果】
【００２１】
以上に説明したように、本発明にかかわるＩＰセントレックスシステムによれば、ＩＰセントレックスシステムによる内線接続が可能な加入者端末同士が外線接続による通話状態であっても、これらの加入者端末が相互に内線接続可能な状態になった時点で、通話状態を維持したまま自動的に内線通話に切り替えることができる。
これにより、発信時点で着信先の加入者端末がＩＰセントレックスシステムの適用圏外であったために、その後の移動によってＩＰセントレックスシステムの適用圏内に移動したにもかかわらず、外線接続が維持される状況は解消され、圏内に移動した時点から内線を利用した割安な料金のサービスを提供することができる。
【００２２】
また、本発明にかかわるＩＰセントレックスシステムによれば、内線接続による通話中の加入者端末の一方がＩＰセントレックスシステムの適用圏外へ移動した場合に、通話状態を維持したままで外線接続へと切り替えることができる。
これにより、ＩＰセントレックスシステムの適用圏の境界付近での通話の切断を避け、利用者を改めてかけ直すなどの煩雑さから解放することができ、サービス性を向上することができる。
【００２３】
また、顧客グループごとに設定された登録情報に応じて、上述した外線自動切替機能の適用／不適用を制御することにより、複数の企業が入居しているオフィスビルなどに設置されたＩＰセントレックスシステムにおける利用者の利便性を向上することができる。
【発明を実施するための最良の形態】
【００２４】
以下、図面に基づいて、本発明の実施形態について詳細に説明する。
（第１の実施形態）
図１に、本発明にかかわるＩＰセントレックスシステムの第１の実施形態を示す。
なお、図１に示す構成要素のうち、図１０に示した各部と同等のものについては、図１０に示した符号を付して示し、その説明を省略する。
【００２５】
図１に示したＦＯＭＡレジストラ２０１は、図１０に示したユーザ管理サーバ４１２に相当するものであり、無線ＬＡＮの各アクセスポイントを介して加入者端末との間で行うやり取りで得られた情報に基づいて、各加入者端末がＩＰセントレックスシステムの適用圏内に在圏しているか否かを調べ、この調査結果を含むユーザ管理情報をＳＩＰサーバ２１０に渡してユーザ管理テーブル２１２に格納する。
【００２６】
図１に示したＳＩＰサーバ２１０において、呼処理部２１１は、ユーザ管理テーブル２１２に格納されたユーザ管理情報に基づいて、ＩＰセントレックスシステムにかかわる呼処理を行い、これらの呼にかかわる接続管理情報を生成して接続管理テーブル２１３に格納する。
図２に示すように、ユーザ管理テーブル２１２には、各加入者について、ＩＰセントレックスシステム内での内線番号と公衆網を利用する際の外線番号および当該加入者が在圏しているか否かを示す在圏情報とともに、本発明にかかわる通話中切替サービスに関する設定情報(後述する)が格納されている。また、接続管理テーブル２１３には、セントレックスサーバ２１０が関与している各呼について、発信側および着信側の端末をそれぞれ示す電話番号および接続先ＩＰアドレスなどの接続管理情報が格納されている。
【００２７】
このＳＩＰサーバ２１０において、通話中切替制御部２１４は、ユーザ管理テーブル２１２および接続管理テーブル２１３に格納された情報に基づいて、通話中にＩＰセントレックスシステムの適用圏の境界を越えて移動した加入者端末にかかわる回線の制御を、後述するようにして、呼処理部２１１の機能を利用して行う。
図３に、通話中切替制御部２１４の詳細構成を示す。また、図４に、通話中切替動作を表す流れ図を示す。
【００２８】
図３に示した通話中切替制御部２１４において、越境端末検出部２１５は、例えば、図１に示したＦＯＭＡレジストラ２０１によってユーザ管理テーブル２１２の在圏情報が更新された際に(ステップ３０１)、該当する加入者に対応するユーザ管理情報で示された内線番号あるいは外線番号を接続管理テーブル２１３から検索し、この検索結果に基づいて、該当する加入者端末が通話中にＩＰセントレックスシステムの適用圏の境界を越えて移動したか否かを判定する。
【００２９】
例えば、図５に示すように、加入者端末ＵＥ１、ＵＥ２が外線接続中に、加入者端末ＵＥ１がＩＰセントレックスシステムの適用圏内に移動すると、この加入者端末ＵＥ１からＦＯＭＡレジストラ２０１への登録要求に応じて、ＦＯＭＡレジストラ２０１およびＳＩＰサーバ２１０による一連の認証手続が行われる。この認証手続の過程において、ユーザ管理テーブル２１２の加入者端末ＩＤ「ＵＥ１」に対応する在圏情報が「圏外」から「在圏」に更新される(図４のステップ３０１)。
【００３０】
この場合に、図３に示した越境端末検出部２１５は、ユーザ管理テーブル２１２からこの加入者端末ＵＥ１の外線番号を得て、この外線番号を接続管理テーブル２１３から検索し、呼ＩＤ[Ｃ１]に対応して格納されている旨の検索結果を得る(図２参照)。このように、在圏情報が「圏外」から「在圏」へと更新された加入者端末の外線番号が、接続管理テーブル２１３のいずれかの接続管理情報から検索された場合に、越境端末検出部２１５は、この加入者端末ＵＥ１が通話中であり(ステップ３０２の肯定判定)、圏外から圏内へと移動したと判断し(ステップ３０３の肯定判定)、この加入者端末ＵＥ１を越境端末として検出する。
【００３１】
このようにして、加入者端末ＵＥ１が圏外から圏内へと移動した旨の検出結果に応じて、切替手順制御部２１６は、該当する加入者端末(この場合は、加入者端末ＵＥ１)に対して、外線接続から内線接続へ切り替える旨の問い合わせメッセージを送出する(図４のステップ３０４、図５の「SIP INFO」)。その後、加入者端末ＵＥ１からの確認メッセージ(図５に示した「SIP200OK」)の到達に応じて、図４のステップ３０５の肯定判定となって待ち状態が解除される。
【００３２】
次いで、図３に示した切替手順制御部２１６からの依頼に応じて、呼処理部２１１により、加入者端末ＵＥ１と加入者端末ＵＥ２との間の内線接続が行われ(図４のステップ３０６、図５参照)、この内線接続処理の完了後に、上述した外線通話は内線通話に引き継がれる(図５参照)。その後、切替手順制御部２１６からの依頼に応じて、呼処理部２１１により、加入者端末ＵＥ１にかかわる外線接続を切断する手順が行われ(図４のステップ３０７)、外線から内線へ切り替える処理を終了する。このようにして、呼処理部２１１による切替処理が行われる過程において、接続管理テーブル２１３の内容が更新され、呼ＩＤ[Ｃ１]に対応する発信電話番号は、加入者端末ＵＥ１に対応する内線番号に書き換えられ、接続管理テーブル２１３に外線接続から内線接続への切替処理の結果が反映される。
【００３３】
同様にして、着信側の加入者端末ＵＥ４がＩＰセントレックスシステムの適用圏外であるために外線接続されている場合についても、加入者端末ＵＥ４の圏外から圏内への移動に応じて、発信側の加入者端末ＵＥ３と着信側の加入者端末ＵＥ４との外線接続を、通話状態を維持したまま内線接続に切り替えることができる。
この場合には、着信側の加入者端末ＵＥ４が圏外から圏内に移動しているので、外線接続から内線接続へ切り替える旨の問い合わせメッセージは、着信側の加入者端末ＵＥ４に送られ、この加入者端末ＵＥ４からの応答を待って、外線接続から内線接続への切り替えが行われる。
【００３４】
なお、外線接続から内線接続に切り替える際に、加入者端末の利用者の意向を反映する必要がない場合は、上述したような問い合わせメッセージの送出および応答の確認手順を省略し、外線接続から内線接続への切り替えを自動的に実行する運用を採用することも可能である。
一方、図６に示すように、加入者端末ＵＥ５と加入者端末ＵＥ６とが内線通話中に、着信側の加入者端末ＵＥ６がＩＰセントレックスシステムの適用圏外へ移動した場合には、ＦＯＭＡレジストラ２０１への登録更新処理が滞ると、登録更新タイムアウトの検出に応じて、ＦＯＭＡレジストラ２０１により、加入者端末ＵＥ６についてのサービスを中断する処理が開始される。また、これとともに、ＦＯＭＡレジストラ２０１からＳＩＰサーバ２１１に内線接続の解放依頼が送られ、これに応じて、加入者端末ＵＥ５、６間の内線接続は切断され、この過程において、ユーザ管理テーブル２１２の加入者端末ＵＥ６に対応する在圏情報が「在圏」から「圏外」へと更新される(ステップ３０１)。
【００３５】
この場合に、図３に示した越境端末検出部２１５は、ユーザ管理テーブル２１２からこの加入者端末ＵＥ６の内線番号を得て、この内線番号を接続管理テーブル２１３から検索し、呼ＩＤ[Ｃ３]に対応して格納されている旨の検索結果を得る(図２参照)。このように、在圏情報が「在圏」から「圏外」へと更新された加入者端末の外線番号が、接続管理テーブル２１３のいずれかの接続管理情報から検索された場合に、越境端末検出部２１５は、この加入者端末ＵＥ６が通話中であり(ステップ３０２の肯定判定)、圏内から圏外へと移動したと判断し(ステップ３０３の否定判定)、この加入者端末ＵＥ６を越境端末として検出する。
【００３６】
このようにして、加入者端末ＵＥ１が圏外から圏内へと移動した旨の検出結果が得られたときに、切替手順制御部２１６からの依頼に応じて、呼処理部２１１がゲートウェイサーバ４１５を介して公衆網に対して、加入者端末ＵＥ５を発信元年加入者端末ＵＥ６を着信先とした発呼処理を行うことにより、加入者端末ＵＥ５と加入者端末ＵＥ６との間の外線接続処理が行われる(図４のステップ３０８)。このようにして外線接続処理が完了後に、上述した外線通話は内線通話に引き継がれ(図５参照)、通話中切替処理は終了する。
【００３７】
上述したように、本発明にかかわるＩＰセントレックスシステムでは、通話中にＩＰセントレックスシステムの適用圏の圏外から圏内へ移動した加入者端末を確実に検出し、該当する加入者端末にかかわる通話を外線接続から内線接続へと切り替えて、通話の維持を図りつつ、通話にかかわる費用の削減を図ることができる。また、逆に、ＩＰセントレックスシステムの適用圏内から圏外へ移動した加入者端末を確実に検出して、該当する加入者端末にかかわる通話を内線接続から外線接続へと自動的に切り替えることにより、通話にかかわる加入者端末の圏外への移動にかかわらず、通話状態を確実に維持することができる。
【００３８】
なお、ユーザ管理テーブル２１２において在圏情報が更新された加入者が通話中でなかった場合は(ステップ３０２の否定判定)、通話中切替処理は不要であると判断して、処理を終了する。
ところで、内線通話から外線接続による通話に切り替わると、当然ながら、公衆網を利用することによる費用が発生するので、内線から外線への切替については、ＩＰセントレックスシステムの顧客である企業それぞれで様々な運用方針がありうる。
【００３９】
以下に、ＩＰセントレックスシステムを利用している様々な顧客の要望に応じて、通話中自動切替サービスを提供する方法について説明する。
（第２の実施形態）
図７に、本発明にかかわるＳＩＰサーバの別構成例を示す。
図７に示したＳＩＰサーバ２１０において、通話中切替制御部２１４は、図３に示した各部に加えて、適用判定部２１７を備えて構成されている。また、図７に示したユーザ管理テーブル２１２は、図２（ａ）に示すように、通話中に外線への切り替えを適用するか否かを示す外線切替登録情報と顧客グループ（ＣＵＧ）ＩＤとを含むユーザ管理情報を格納している。なお、図２(ａ)に示した例では、グループ内の通話とグループ間の通話とについてそれぞれ外線切替登録情報が設定されている。
【００４０】
図７に示した適用判定部２１７は、越境端末検出部２１５により、圏内から圏外へと移動した加入者端末が検出されたときに、まず、接続管理テーブル２１３を参照し、検出された加入者端末と通話中の加入者端末を調べ、次いで、これらの加入者端末に対応してユーザ管理テーブル２１２に格納された顧客グループＩＤに基づいて、切り替え対象の通話にかかわる加入者端末が同一の顧客グループに属しているか否かを判定する。
【００４１】
次に、適用判定部２１７は、切替対象の通話の発信側の加入者端末に対応してユーザ管理テーブル２１２に、上述した判定結果に対応する外線切替登録情報に基づいて、外線接続への切り替えを適用するか否かを判定し、切り替えを適用する場合に、上述した越境端末検出部２１５による検出結果を切替手順制御部２１６に渡して、切替処理に供する。
つまり、図８に示すように、ステップ３０３の否定判定に応じて、適用判定部２１７により上述した判定処理が行われ、切り替えを適用する旨の判定結果が得られた場合に限って(ステップ３０９の肯定判定)、ステップ３０８の外線接続処理が実行される。
【００４２】
例えば、図９に示したように、加入者端末ＵＥ７と内線通話中の着信側の加入者端末ＵＥ８がＩＰセントレックスシステムの適用圏外へ移動した場合には、この移動の検出に続いて行われる発信側の加入者端末ＵＥ７に対応する外線切替登録情報に基づいて、顧客グループ間の通話についても外線切替を適用する旨が確認されるので、外線接続への切り替え処理が実行される。
【００４３】
一方、図２(ｂ)に示した接続管理テーブル２１３において、呼ＩＤ[Ｃ３]に対応して示された加入者端末ＵＥ５、６間の内線通話において、着信側の加入者端末ＵＥ６がＩＰセントレックスシステムの適用圏外に移動した場合は、発信側の加入者端末ＵＥ５に対応する外線切替登録情報により、グループ内の通話についても外線切替を適用しない旨が示されているので、図８に示したステップ３０９の否定判定となり、外線接続への切替処理を実行しないで処理を終了する。
【００４４】
このように、外線切替登録情報に応じて、外線接続処理を実行するか否かを決定することにより、ＩＰセントレックスシステムの顧客それぞれの運用方針に柔軟に対応し、多様なサービスを提供することができる。
【産業上の利用可能性】
【００４５】
本発明にかかわるＩＰセントレックスシステムでは、ＩＰセントレックスシステムの適用圏の境界を越えて加入者端末が移動する際の課題、すなわち、無駄な外線通話料金が発生することおよび圏外への移動に伴って通話が切断されてしまうことを解決することができるので、移動通信システムにおける移動端末としての機能とＩＰセントレックスシステムにおける加入者端末としての機能を併せ持つデュアル端末を加入者端末として利用するＩＰセントレックスシステムにおいて極めて有効である。
【００４６】
特に、加入者端末の所持者が、ＩＰセントレックスシステムによって接続された遠隔地に点在する拠点間を頻繁に行き来する場合には、上述したようなＩＰセントレックスシステムの適用圏の境界付近における課題が顕著となるので、このようなＩＰセントレックスシステムにおいては非常に有用である。
また、外線切替サービスの適用の有無を登録可能としたことにより、複数の企業が加入しているＩＰセントレックスシステムにおいて必要とされるきめ細かな制御が可能となるので、大規模なオフィスビルなどに適用されるＩＰセントレックスシステムにおいても有用である。
【図面の簡単な説明】
【００４７】
【図１】本発明にかかわるＩＰセントレックスシステムの実施形態を示す図である。
【図２】ユーザ管理テーブルおよび接続管理テーブルの例を示す図である。
【図３】通話中切替制御部の詳細構成を示す図である。
【図４】通話中切替動作を表す流れ図である。
【図５】外線から内線への切り替えシーケンス図である。
【図６】内線から外線への切り替えシーケンス図である。
【図７】本発明にかかわるＳＩＰサーバの別構成例を示す図である。
【図８】登録情報を考慮した通話中切替動作を表す流れ図である。
【図９】登録情報を考慮した外線切り替えシーケンスを示す図である。
【図１０】ＩＰセントレックスシステムの構成例を示す図である。
【符号の説明】
【００４８】
２０１  ＦＯＭＡレジストラ
２１０、４１４  ＳＩＰサーバ
２１１  呼処理部
２１２  ユーザ管理テーブル
２１３  接続管理テーブル
２１４  通話中切替制御部
２１５  越境端末検出部
２１６  切替手順制御部
２１７  適用判定部
４１１  アクセスポイント（ＡＰ）
４１２  ユーザ管理サーバ
４１３  セントレッスクサーバ
４１５  ゲートウェイ(ＧＷ)サーバ
【図１】
2007221554.tif 000003
【図２】
2007221554.tif 000004
【図３】
2007221554.tif 000005
【図４】
2007221554.tif 000006
【図５】
2007221554.tif 000007
【図６】
2007221554.tif 000008
【図７】
2007221554.tif 000009
【図８】
2007221554.tif 000010
【図９】
2007221554.tif 000011
【図１０】
2007221554.tif 000012